(57)【要約】【課題】  送受信モジュールの結合及び分離が容易な光送受信モジュールのホットプラギング装置を提供する。【解決手段】  モジュールハウジング３０１と、該ハウジング３０１の両側面の所定の位置からモジュールハウジングの一端部に延設される少なくとも１つの係止溝３１３と、モジュールハウジングの長さ方向に延長され、係止溝３１３内で直線移動可能に収容される少なくとも１つのスライディング部材３２１と、モジュールハウジング３０１の一端部に回動可能に結合されて、モジュールハウジング３０１の長さ方向に対して所定の角度をなした状態で、スライディング部材３２１の端部を係止溝３１３の端部に係合させる回動部材３０３と、を備える。【選択図】  図３
2005045248.tif 000002
【特許請求の範囲】
【請求項１】
光送受信モジュールのホットプラギング装置であって、
モジュールハウジングと、
前記モジュールハウジングの両側面の所定の位置から前記モジュールハウジングの一端部に延設される少なくとも１つの係止溝と、
前記モジュールハウジングの長さ方向に延長され、前記係止溝内で直線移動可能に収容される少なくとも１つのスライディング部材と、
前記モジュールハウジングの一端部に回動可能に結合されて、前記モジュールハウジングの長さ方向に対して所定の角度をなした状態で、前記スライディング部材の端部を前記係止溝の端部に係合させる回動部材と、
を備えることを特徴とする光送受信モジュールのホットプラギング装置。
【請求項２】
前記係止溝は、前記モジュールハウジングの両側面の所定の位置から前記モジュールハウジングの一端部にそれぞれ延設され、
前記スライディング部材は、前記モジュールハウジングの長さ方向に延長されて、前記係止溝内でそれぞれ直線移動可能に収容される請求項１記載の光送受信モジュールのホットプラギング装置。
【請求項３】
前記モジュールハウジングは、底面と前記底面の両側端からそれぞれ上方に延設される側壁とを備え、
前記係止溝は、前記モジュールハウジングの側壁に所定の深さで陥没された所定の長さの着脱溝と前記着脱溝の端部から前記モジュールハウジングの一端部まで延設された作動溝とを備える請求項２記載の光送受信モジュールのホットプラギング装置。
【請求項４】
前記スライディング部材は、その一端部が前記モジュールハウジングの一端部側から突出した状態では、その他端部が前記係止溝の端部に近接した位置にあり、前記係止溝内での直線移動が行われることで、前記他端部が前記係止溝の端部に係合するように位置される請求項２記載の光送受信モジュールのホットプラギング装置。
【請求項５】
前記回動部材は、前記モジュールハウジングの両側面にそれぞれ備えられて前記スライディング部材の一端部に近接した位置に回動可能に結合され、回動する位置に従って前記スライディング部材を押す回転体と、前記回転体から一方向に互いに向き合うようにそれぞれ延設されるリンク部材と、前記それぞれのリンク部材の端部を相互に連結するホールディング部材と、を備える請求項２記載の光送受信モジュールのホットプラギング装置。
【請求項６】
前記回転体は、所定の角度で前記スライディング部材の他端部が前記係止溝に係合されるように前記スライディング部材の一端部を加圧するプッシュアーム(push-arm)を有する請求項５記載の光送受信モジュールのホットプラギング装置。
【請求項７】
前記回転体は、回転により前記リンク部材が前記モジュールハウジングの長さ方向に平行に位置される際に、前記スライディング部材を押し出して、前記スライディング部材の他端部を前記係止溝に係合させる請求項５記載の光送受信モジュールのホットプラギング装置。
【請求項８】
前記回動部材は、前記モジュールハウジングと所定の角度をなした状態で、前記スライディング部材の一端部を加圧することによって前記スライディング部材の他端部を前記係止溝の端部にそれぞれ係合させる請求項１記載の光送受信モジュールのホットプラギング装置。
【請求項９】
光送受信モジュールのホットプラギング装置であって、
光送受信システムのホストボード(host board)の上に設けられ、その内側面から延設され、長さ方向に進行することに従って、前記内側面から遠くなるように形成され、弾性変形が可能な係止片を備えるケージ(cage)と、
前記ケージに長さ方向に挿入され、外側面に形成されてその端部側が前記係止片に係合する係止溝を備えるモジュールハウジングと、
前記モジュールハウジングの長さ方向に延長され、前記係止溝内で直線移動可能に収容されるスライディング部材と、
前記モジュールハウジングの一端部に回動可能に結合されて、前記モジュールハウジングと所定の角度をなした状態で、前記スライディング部材の一端部を加圧することによって、前記スライディング部材の他端部を前記係止溝の端部に係合させる回動部材と、を備え、
前記スライディング部材の他端部が前記係止溝の端部に係合される際に、前記係止片が前記係止溝から離脱すること
を特徴とする光送受信モジュールのホットプラギング装置。
【請求項１０】
前記係止片は、前記ケージの相互に向き合う両内側面に対称的に形成される請求項９記載の光送受信モジュールのホットプラギング装置。
【請求項１１】
前記回動部材は、
前記モジュールハウジングの両側面にそれぞれ備えられて前記スライディング部材の一端部に近接した位置に回動可能に結合され、回動する位置に従って前記スライディング部材を押す回転体と、前記回転体から一方向に相互に向き合うようにそれぞれ延設されるリンク部材と、前記それぞれのリンク部材の端部を相互に連結するホールディング部材と、を備える請求項９記載の光送受信モジュールのホットプラギング装置。
【請求項１２】
前記回転体は、所定の角度で前記スライディング部材の他端部が前記係止溝に係合されるように前記スライディング部材の一端部を加圧するプッシュアームを備える請求項１１記載の光送受信モジュールのホットプラギング装置。
【請求項１３】
前記回転体は、前記リンク部材が前記モジュールハウジングの長さ方向に平行に位置したときに、前記スライディング部材を押して、前記スライディング部材の他端部を前記係止溝に係合させる請求項１１記載の光送受信モジュールのホットプラギング装置。
【請求項１４】
光送受信モジュールのホットプラギング装置であって、
一側面に沿って延設された少なくとも１つの係止溝が形成されたモジュールハウジングと、
前記係止溝内で直線移動可能に収容されるスライディング部材及び前記スライディング部材を移動させる回動部材を含む前記モジュールハウジングに結合されたロッキング手段と、
を備えることを特徴とする光送受信モジュールのホットプラギング装置。
【請求項１５】
前記モジュールハウジングは、所定のケージの内部に挿入可能であり、前記ロッキング手段は、前記モジュールハウジングを前記ケージ内部に固定(lock)させるか、または前記ケージから解除(release)させる請求項１４記載の光送受信モジュールのホットプラギング装置。
【発明の詳細な説明】
【技術分野】
【０００１】
本発明は、光通信用送受信モジュールに関し、特に、光送受信(transceiver)モジュールの着脱装置であるホットプラギング装置(hot plugging device)に関する。
【背景技術】
【０００２】
通常、光送受信システムにおいては、通信網の拡張及び維持保守のためにホットプラギング装置が用いられている。ホットプラギング装置は、光送受信システムの上に設けられた光送受信モジュールなどの素子を交換する際に、あるいは通信網を拡張する際に、システムを停止させず作業が可能であるので、特に、システムの頻繁な維持保守の作業が要求される場合に有用に利用されている。
【０００３】
図１は、従来技術の一実施例による光送受信モジュール１００のホットプラギング装置を示す斜視図であり、図２は、図１に示したホットプラギング装置がケージ１０に結合された形状を示す側断面図である。図１及び図２に示すように、従来技術の一実施例に従う光送受信モジュール１００のホットプラギング装置は、モジュールハウジング１０１の上面側に構成されるロッキング(locking)手段及びロッキング解除手段を備える。
【０００４】
前記ホットプラギング装置のロッキング手段は、モジュールハウジング１０１に形成される三角突起１１１と、この三角突起１１１に相応するようにケージ１０の内側面に形成された溝部１１(図２に図示)と、から構成される。モジュールハウジング１０１がケージ１０の内部に挿入されると、三角突起１１１と溝部１１が嵌合してモジュールハウジング１０１とケージ１０との固定（ロッキング）状態を保持させる。
【０００５】
一方、送受信モジュール１００の交換のためには、三角突起１１１を溝部１１から分離しなければならない。三角突起１１１を溝部１１から分離するためのロッキング解除手段としてスライダ１０２が備えられる。このスライダ１０２は、モジュールハウジング１０１の上面で水平移動可能に設けられており、その一端側に傾斜突起１２１が備えられる。また、モジュールハウジング１０１の上面には、傾斜突起１２１の水平移動をガイドするためのレール１１３が設けられる。図２に示すように、傾斜突起１２１は、モジュールハウジング１０１とケージ１０との間に挿入されるものであり、三角突起１１１及び溝部１１がロッキングされた状態でスライダ１０２を水平移動させると、傾斜突起１２１がケージ１０とモジュールハウジング１０１との間に介在させられる。これにより、ケージ１０及びモジュールハウジング１０１が一定の程度の弾性変形を引き起こし、このときに、三角突起１１１及び溝部１１のロッキングが解除可能となる。すなわち作業者は、傾斜突起１２１の介在を保持させるように持続的にスライダ１０２を加圧した状態とすることで、モジュールハウジング１０１をケージ１０から分離することができる。
【０００６】
前述したように、従来の光送受信モジュールのホットプラギング装置は、ケージから分離されるときまで、作業者が持続的にスライダを加圧しなければならないので、作業が不便な問題点がある。また、スライダを加圧するための作業空間が要求されて、結果的に、送受信モジュールが設置される空間が不要に大きくなる。従って、システムの上に装着することができる送受信モジュールの数が制限される短所がある。さらに、モジュールハウジングをケージから分離するためにスライダを加圧すると、モジュールハウジングまたはケージが塑性（すなわち永久的に）変形されるか又は破損される恐れがある。
【発明の開示】
【発明が解決しようとする課題】
【０００７】
上記背景に鑑みて、本発明の目的は、送受信モジュールの結合及び分離が容易な光送受信モジュールのホットプラギング装置を提供することにある。
【０００８】
本発明の他の目的は、小さい作業空間内でも効率的に保守作業を行うことができる光送受信モジュールのホットプラギング装置を提供することにある。
【課題を解決するための手段】
【０００９】
上記目的を達成するために、本発明に係る光送受信モジュールのホットプラギング装置は、モジュールハウジングと、前記モジュールハウジングの両側面の所定の位置から前記モジュールハウジングの一端部に延設される少なくとも１つの係止溝と、前記モジュールハウジングの長さ方向に延長され、前記係止溝内で直線移動可能に収容される少なくとも１つのスライディング部材と、前記モジュールハウジングの一端部に回動可能に結合されて、前記モジュールハウジングの長さ方向に対して所定の角度をなした状態で、前記スライディング部材の端部を前記係止溝の端部に係合させる回動部材と、を備えることを特徴とする。
【００１０】
また、本発明に係る光送受信モジュールのホットプラギング装置は、光送受信システムのホストボード(host board)の上に設けられ、その内側面から延設され、長さ方向に進行することに従って、前記内側面から遠くなるように形成されて弾性変形が可能な係止片を備えるケージ(cage)と、前記ケージに長さ方向に挿入され、外側面に形成されてその端部側が前記係止片に係合する係止溝を備えるモジュールハウジングと、前記モジュールハウジングの長さ方向に延長され、前記係止溝内で直線移動可能に収容されるスライディング部材と、前記モジュールハウジングの一端部に回動可能に結合されて、前記モジュールハウジングと所定の角度をなした状態で、前記スライディング部材の一端部を加圧することによって、前記スライディング部材の他端部を前記係止溝の端部に係合させる回動部材と、を備え、前記スライディング部材の他端部が前記係止溝の端部に係合される際に、前記係止片が前記係止溝から離脱することを特徴とする。
【発明の効果】
【００１１】
本発明による光送受信モジュールのホットプラギング装置では、回動部材とスライディング部材を利用して、モジュールハウジングのロッキング状態を簡単に解除し、ロッキング解除状態を保持させることができるので、ケージからモジュールハウジングを容易に分離することができる。また、モジュールハウジングをケージから分離するために必要な作業空間が減少されて、さらに多数の送受信モジュールを設置することができる。なお、従来の光送受信モジュールのホットプラギング装置は、スライダを利用してモジュールハウジング及びケージを弾性変形させたが、本発明は、モジュールハウジング分離過程で係止片のみ変形されるので、モジュールハウジング又はケージの塑性変形ないし損傷を格段に減少させる。
【発明を実施するための最良の形態】
【００１２】
以下、本発明の好適な実施形態について添付図面を参照しつつ詳細に説明する。下記説明において、本発明の要旨のみを明瞭するために公知の機能又は構成に対する詳細な説明は省略する。なお、図面中、同一な構成要素及び部分には、可能な限り同一な符号及び番号を共通使用するものとする。
【００１３】
図３は、本発明の好適な実施形態に従う光送受信モジュール３００のホットプラギング装置を示す斜視図であり、図４は、図３に示したホットプラギング装置の結合解除手段を示す斜視図である。図３及び図４に示すように、本発明の好適な実施形態に従う光送受信モジュール３００のホットプラギング装置は、両側面にそれぞれ係止溝３１３が形成されたモジュールハウジング３０１、係止溝３１３内で直線移動可能に収容されるスライディング部材３２１、モジュールハウジング３０１の一端側で回動可能に結合される回動部材３０３を備える。モジュールハウジング３０１は、光送受信システム(図示せず)のホストボード(host board)の上に設けられるケージ３０に結合される。
【００１４】
図３に示すように、モジュールハウジング３０１は、底面３０１ａと、該底面３０１ａの両側端でそれぞれの上方に延設された側壁３０１ｂで囲まれており、その上面が開放された収容空間３１１を提供し、両側壁３０１ｂの外側面のそれぞれには、係止溝３１３が形成される。これら各係止溝３１３は、側壁３０１ｂにおける外側面の所定位置からモジュールハウジング３０１の長さ方向に延設された形状となっており（図５参照）、これにより、詳細を後述するスライディング部材３２１が直線移動可能に収容される。また、係止溝３１３は、その端部側の着脱溝として、スライディング部材３２１の先端部が係合される凹形状の端部３１３ａと、該端部３１３ａの近傍に設けられ、係止片３１が係止（係合）される係止部３１３ｂと、を有している。図５に示すように、係止部３１３ｂは、端部３１３ａよりも手前側で、かつ溝の深さが深く形成されている。
【００１５】
モジュールハウジング３０１の一端側、すなわち、ケージ３０に挿入される端部は、モジュールハウジング３０１に収容される回路装置(図示せず)と光送受信システムとの間の接続を提供するためのコネクタで構成される。図３及び図５を参照すると、モジュールハウジング３０１がケージ３０に挿入されると、ケージ３０内に設けられた係止片３１(図５に図示)が係止溝３１３の係止部３１３ｂに係止（engage）されることで、モジュールハウジング３０１がケージ３０の内部に固定される。
【００１６】
本実施の形態では、係止片３１は、ケージ３０の相対峙する両内側面に対称的に形成される。詳細には、各係止片３１は、ケージ３０の内側面から長さ方向（奥側）に延設されたものであって、長さ方向に進行されることに伴って、ケージ３０の内側面から徐々に遠くなる（離れて行く）形状であり、その端部は、弾性変形が発生するように構成される。従って、モジュールハウジング３０１がケージ３０内に挿入されると、係止片３１は、モジュールハウジング３０１の係止溝３１３に係止（係合）される前までは、弾性変形を起こしてケージ３０の内側面に近接した状態となる。さらに、係止片３１と係止溝３１３が対面する位置までモジュールハウジング３０１が挿入されると、係止片３１に蓄積された弾性力によって、係止片３１の端部が係止溝３１３の係止部３１３ｂ内に入り込むことで、係止片３１と係止部３１３ｂとが係合し、モジュールハウジング３０１がケージ３０の内部に固定される（図５参照）。
【００１７】
スライディング部材３２１及び回動部材３０３は、モジュールハウジング３０１をケージ３０から離脱させるためのロッキング解除手段を構成する。
【００１８】
モジュールハウジング３０１をケージ３０から離脱させるためには、係止片３１を係止溝３１３から分離させる必要がある。本実施形態では、スライディング部材３２１は、係止溝３１３内で直線移動を行うことによって、係止溝３１３の係止部３１３ｂに係合した状態の係止片３１を、この係止溝３１３から分離させる。
【００１９】
スライディング部材３２１は、その一端部（後述する駆動部材３２３）がモジュールハウジング３０１の一端部側に突出しており、係止溝３１３内で直線移動（往復運動）が行われることで、その他端部（後述する作動部材３２２）が、係止溝３１３の端部３１３ａに近接する乃至係合するように、位置が移動する。すなわち、モジュールハウジング３０１がケージ３０の内部に挿入されて係止溝３１３と係止片３１が対面する位置に来ると、スライディング部材３２１の端部が係止溝３１３の端部３１３ａに係合する位置にある状態であっても、係止片３１は、スライディング部材３２１の端部を押し出して、係止溝３１３の係止部３１３ｂに係合するようになる。一方、このように係止片３１が係止溝３１３に係合した状態から、モジュールハウジング３０１をケージ３０から分離するためには、スライディング部材３２１を係止溝３１３の端部３１３ａに係合させる方向に移動させて、係止片３１を係止溝３１３から分離させることによって行う。本実施形態では、回動部材３０３からの外力によってスライディング部材３２１を直線移動させることで、該スライディング部材３２１の端部が係止片３１を押圧して、スライディング部材３２１の側面により係止片３１を係止溝３１３から分離させた状態を維持しつつ、スライディング部材３２１の端部が係止溝３１３の端部３１３ａに係合される。
【００２０】
回動部材３０３は、モジュールハウジング３０１をケージ３０から分離しようとするときに、作業者により所定の角度まで回動させられることによって、スライディング部材３２１の端部を係止溝３１３の端部３１３ａに係合させる。このとき、スライディング部材３２１の他方の端部は、モジュールハウジング３０１の一端から内部に押し込まれた状態となる（図６参照）。
【００２１】
図４に示すように、スライディング部材３２１は、作動部材３２２と駆動部材３２３とを備える。ここで、作動部材３２２は、駆動部材３２３の端部と結合されており、モジュールハウジング３０１の外側面上で直線移動を行い、係止溝３１３の端部３１３ａに係合して係止片３１を分離する機能を担う。一方、駆動部材３２３は、モジュールハウジング３０１の両側壁３０１ｂの内部で直線移動を行い、その一端部がモジュールハウジング３０１の一端側に突出するように配置される。図４に示すように、駆動部材３２３の一端部には、一方向（本実施形態では下方向）に駆動片３２５が延設されており、この駆動片３２５が回動部材３０３からの加圧力を受けることで、駆動部材３２３及び作動部材３２２の直線移動を遂行する。係止溝３１３は、作動部材３２２と駆動部材３２３とが取付け収容されることに伴って、着脱溝と駆動溝とに区分されることができる。すなわち、係止溝３１３においては、作動部材３２２及び係止片３１が係止される部位（すなわち端部３１３ａ及び係止部３１３ｂ）が着脱溝となり、駆動部材３２３により直線移動される部位が駆動溝となる。
【００２２】
スライディング部材３２１は、直線移動の安定性を確保するために、その一部分、すなわち駆動部材３２３が、モジュールハウジング３０１の側壁３０１ｂの内部で直線移動（往復運動）を行えるように構成される。一方、作動部材３２２は、係止片３１を係止溝３１３から分離することができるような形状とされる。本実施の形態では、作動部材３２２は、図４に示すように、上述の駆動部材３２３に比べて薄型であり、かつ、駆動部材３２３と結合される基端側がクランク状に屈曲形成されており、かつ、先端側が係止溝３１３の先端側形状（すなわち凹型の端部３１３ａ）に対応した凸型の形状を呈している。このような構成の作動部材３２２は、駆動部材３２３と結合されモジュールハウジング３０１の側壁３０１ｂに取付けられることで、モジュールハウジング３０１の側壁３０１ｂの外側面に露出された状態となり（図３参照）、かつ係止溝３１３内での直線移動（往復運動）が可能な状態となる。
【００２３】
なお、駆動部材３２３及び作動部材３２２は、両者を一体成形で製作することも可能であるが、前者及び後者はそれぞれ、モジュールハウジング３０１の側壁３０１ｂの内部で及び外側面に露出された状態で組み立てられるので、本実施形態では別途に製作されることが好ましい。
【００２４】
回動部材３０３は、図４に示すように、回転体３３１、この回転体３３１から延設される一対のリンク部材３３５、及び各リンク部材３３５から略直角方向に連設されるホールディング部材３３７を備える。
【００２５】
回転体３３１は、モジュールハウジング３０１の両側面にそれぞれ配置され、スライディング部材３２１の一端部（駆動片３２５）に近接した位置で、軸Ａを中心として回動可能に結合され、回動部材３０３が回動することに従って、スライディング部材３２１を押し出す。回転体３３１は、その外周面から突出形成されるプッシュアーム(push-arm)３３３を有している。このプッシュアーム３３３は、回動部材３０３が回動することに従って、直接的にスライディング部材３２１における駆動部材３２３の一端側、詳細には駆動片３２５を押し出す機能を有する。一対のリンク部材３３５は、回転体３３１からそれぞれ一方向に相互に向き合うように延設される。リンク部材３３５の端部は、ホールディング部材３３７を介してその端部が相互に連結される。
【００２６】
図３及び図５を参照すると、リンク部材３３５がモジュールハウジング３０１の長さ方向（奥行方向）に対して垂直方向に位置した状態では、各スライディング部材３２１，３２１の端部は、係止溝３１３の端部３１３ａから離脱することができる。また、前述したように、各スライディング部材３２１，３２１の端部は、係止溝３１３の端部３１３ａに係合可能であり、この際には、モジュールハウジング３０１がケージ３０に挿入される過程で、係止片３１を押圧しつつ、係止溝３１３に係合することができる。
【００２７】
図３及び図６を参照して説明すると、図３の状態からリンク部材３３５を手前側に回転させてモジュールハウジング３０１の長さ方向に延長する（平行になる）位置まで動かすと、この際に、回転体３３１のプッシュアーム３３３が駆動部材３２３の駆動片３２５を押圧し、これによりスライディング部材３２１全体が直線移動することで、作動部材３２２の端部が、係止片３１を押圧しながら係止溝３１３の端部３１３ａに係合して、この結果、係止片３１を係止溝３１３から分離させる。このときに、回動部材３０３のホールディング部材３３７がモジュールハウジング３０１の端部側に位置しているので、作業者は、ホールディング部材３３７を引っ張ってモジュールハウジング３０１をケージ３０から容易に離脱させることができる。
【００２８】
すなわち、図１及び図２で上述した従来構成では、モジュールハウジングをケージから分離するためには、スライダを押している状態でモジュールハウジングを引っ張らなければならなかったが、本実施形態では、回動部材３０３を回転させることによって係止片３１を係止溝３１３から分離させる構成となっている。従って、作業者は、回動部材３０３を回転させた後に、引っ張る動作を加えることで、モジュールハウジング３０１をケージ３０から容易に分離することが可能となる。
【００２９】
以上、本発明の詳細について具体的な実施形態に基づき説明したが、本発明の範囲を逸脱しない限り、各種の変形が可能なことは明らかである。従って、本発明の範囲は、上記実施形態に限定されるものでなく、特許請求の範囲のみならず、その範囲と均等なものにより定められるべきである。
【図面の簡単な説明】
【００３０】
【図１】従来技術の一実施例に従う光送受信モジュールのホットプラギング装置を示す斜視図である。
【図２】図１に示したホットプラギング装置がケージに結合された形状を示す側断面図である。
【図３】本発明の好適な実施形態に従う光送受信モジュールのホットプラギング装置を示す斜視図である。
【図４】図３に示したホットプラギング装置の結合解除手段を示す斜視図である。
【図５】図３に示したホットプラギング装置がケージに結合された形状を示す平面図である。
【図６】図３に示したホットプラギング装置がケージから解除される形状を示す平面図である。
【符号の説明】
【００３１】
３００  光送受信モジュール
３０１  モジュールハウジング
３０１ａ  底面
３０１ｂ  側壁
３１３  係止溝
３１３ａ  端部（着脱溝）
３１３ｂ  係止部（着脱溝）
３２１  スライディング部材
３０３  回動部材
３３１  回転体
３３３  プッシュアーム
３３５  リンク部材
３３７  ホールディング部材
３０  ケージ
【図１】
2005045248.tif 000003
【図２】
2005045248.tif 000004
【図３】
2005045248.tif 000005
【図４】
2005045248.tif 000006
【図５】
2005045248.tif 000007
【図６】
2005045248.tif 000008